(57)【要約】【課題】コストがかからず作業性のよいケーブル接続方法およびケーブル接続体を提供すること。【解決手段】第１、２ケーブル群（１、２）の第１ケーブル（１Ａ、１Ｂ）、第２ケーブル（２Ａ）に接続端子（１０、２０）をとりつける。次に第１ケーブル群を常温収縮可能な集合アダプタ（５０）でとりまき、第２ケーブル群を常温収縮可能な絶縁部材、防水部材でとりまく。集合アダプタを収縮させてから接続端子を結合し、その後、絶縁部材、防水部材を所定の位置に移動してから収縮させる。【選択図】      図１
2004260938.tif 000002
【特許請求の範囲】
【請求項１】
一または複数のケーブルから成る第１ケーブル群と、複数のケーブルから成る第２ケーブル群を接続するケーブル接続方法であって、
各ケーブルの端部に接続用端子を取付ける接続用端子取付けステップと、
少なくとも一つの常温収縮可能に形成された筒状の被覆部材を第１ケーブル群と第２ケーブル群の一方を周囲するように位置せしめる被覆材配置ステップと、第１ケーブル群の各ケーブルの接続用端子と第２のケーブル群の各ケーブルの接続用端子とを予め設けられている結合手段によって互いに結合する接続用端子結合ステップと、
所定の場所に被覆部材を移動して被覆部材を収縮せしめる被覆部材収縮ステップと、を含み、
接続用端子はモジュール化されたものが微少種類用意されていて、その中から選択して使用される、ことを特徴とするケーブル接続方法。
【請求項２】
接続用端子は、互いに結合させた状態において、その最外周部分が曲面となるように結合できるようにされている、ことを特徴とする請求項１に記載の方法。
【請求項３】
被覆部材には、絶縁部材と、絶縁部材の外側に配置される防水部材が含まれる、ことを特徴とする請求項１に記載の方法。
【請求項４】
接続用端子結合ステップの前に、複数のケーブルを常温収縮可能に形成された集合アダプタで集合させる集合ステップを含むことを特徴とする請求項１に記載の方法。
【請求項５】
請求項１から４のいずれかの方法で接続されるケーブル接続体。
【発明の詳細な説明】
【０００１】
【発明の属する技術分野】
本発明は、一または複数のケーブルから成るケーブル群と、複数のケーブルから成る別のケーブル群を接続するケーブル接続方法に関する。
【０００２】
【従来の技術】
例えば、都市景観の改善のために電線の地下化が検討されている。それにともないケーブルを分配、集合するために、ケーブルの接続が重要な課題となり、一または複数のケーブルから成るケーブル群と、複数のケーブルから成る別のケーブル群を接続するケーブル接続方法がいろいろと開発されている。
【０００３】
非特許文献１（平成１２年、電気学会  電力・エネルギー部門大会論文集、３７０〜３７１頁）は接続ブロックの一方の側に１本のケーブルを接続し、他方の側に２本のケーブルを接続し、筒状の絶縁部材を現場で拡径して接続部分を被うものを開示している。このような構造のものは接続パターンに応じて接続ブロックを用意せねばならずコストがかかるしかさばる。また、現場で拡径せねばならないので厳しい環境下で作業せねばならない場所には適用し難い。
【０００４】
これに対し、特許文献１（ＰＣＴ／ＵＳ９８／１８９０７）は常温収縮チューブで形成された絶縁部材で被うことを開示しており厳しい環境下でも簡単に作業できる。しかしながら、接続ブロックを利用していることにかわりはなく、接続パターンに応じて接続ブロックを用意せねばならずコストがかかるという問題がある。
【０００５】
【特許文献１】
ＰＣＴ／ＵＳ９８／１８９０７号
【非特許文献１】
平成１２年、電気学会  電力・エネルギー部門大会論文集、３７０〜３７１頁
【０００６】
【発明が解決しようとする課題】
本発明は上記問題に鑑みコストがかからず作業性のよいケーブル接続方法およびケーブル接続体を提供することを目的とする。
【０００７】
【課題を解決するための手段】
請求項１の発明によれば、一または複数のケーブルから成る第１ケーブル群と、複数のケーブルから成る第２ケーブル群を接続するケーブル接続方法であって、
各ケーブルの端部に接続用端子を取付ける接続用端子取付けステップと、
少なくとも一つの常温収縮可能に形成された筒状の被覆部材を第１ケーブル群と第２ケーブル群の一方を周囲するように位置せしめる被覆材配置ステップと、第１ケーブル群の各ケーブルの接続用端子と第２のケーブル群の各ケーブルの接続用端子とを予め設けられている結合手段によって互いに結合する接続用端子結合ステップと、
所定の場所に被覆部材を移動して被覆部材を収縮せしめる被覆部材収縮ステップと、を含み、
接続用端子はモジュール化されたものが微少種類用意されていて、その中から選択して使用される、ことを特徴とするケーブル接続方法が提供される。
このようなケーブル接続方法では、接続するべきケーブルの端部にモジュール化された接続用端子から選んだ接続用端子を取付けられ、その接続用端子が結合され、その上に常温収縮する被覆部材が被覆される。
【０００８】
請求項２の発明では、接続用端子は、互いに結合させた状態においてその最外周部分が曲面となるように結合できるようにされている。
請求項３の発明では、被覆部材には、絶縁部材と、絶縁部材の外側に配置される防水部材が含まれる。
請求項４の発明では、接続用端子結合ステップの前に、複数のケーブルを常温収縮可能に形成された集合アダプタで集合させる集合ステップを含まれる。
そして、請求項５の発明によれば、請求項１から４のいずれかの方法で接続されているケーブル接続体が提供される。
【０００９】
【発明の実施の形態】
以下、添付の図面を参照しながら本発明の実施の形態について説明する。
この実施の形態は、２つのケーブルから成る第１ケーブル群と、１つのケーブルから成る第２ケーブル群を接続するものである。図１が、この実施の形態における第１ケーブル群１と第２ケーブル群２の接続を説明する図である。
図１の（Ａ）が示しているのは第１ケーブル群１の第１ケーブル１Ａ、１Ｂの端部にそれぞれ第１接続用端子１０を取り付け、第２ケーブル群２の第２ケーブル２Ａの端部に第２接続用端子２０を取り付けるステップである。
【００１０】
第１接続用端子１０および第２接続用端子２０は導電性が必要であるので金属で形成されている。図２の（Ａ）は第１接続用端子１０の拡大斜視図であって、第１接続用端子１０は円筒状のスリーブ部分１１と結合のための結合部分１２を有し、スリーブ部分１１に第１ケーブル１Ａ、１Ｂの被覆を除去した端部が挿入され、その後に、図示しないかしめ装置によってスリーブ部分１１が縮径されてスリーブ部分１１で第１ケーブル１Ａ、１Ｂの端部を強く把持する。結合部分１２にはネジで結合できるようにケーブルの延伸方向とは直角な方向に延伸する穴１３が形成されている。
なお、第１接続用端子部材１０の結合部分１２は、円柱の一部を軸に平行な面で切ったような形状とされている。
【００１１】
図２の（Ｂ）は第２接続用端子２０の拡大斜視図であって、第２接続用端子２０は円筒状のスリーブ部分２１と結合のための結合部分２２を有し、スリーブ部分２１に第２ケーブル２Ａの被覆を除去した端部が挿入され、その後に、図示しないかしめ装置によってスリーブ部分２１が縮径されてスリーブ部分２１で第２ケーブル２Ａの端部を強く把持する。結合部分２２にはネジで結合できるようにケーブルの延伸方向とは直角な方向に延伸する穴２３が形成されている。なお、第２接続用端子２０の結合部分２２は両側に第１接続用端子１０の結合部分１２が密着できるように平らな厚板状を有している。
【００１２】
図１に戻り（Ｂ）を参照すると、集合アダプタ５０が第１ケーブル１群の第１ケーブル１Ａ、１Ｂを取り巻くように位置せしめられ、第１絶縁部材６０と防水部材７０が第２ケーブル２群のケーブル２Ａを取り巻くように位置せしめられる。
逆の言い方をすれば、集合アダプタ５０の穴５０Ａ、５０Ｂに第１ケーブル１群の第１ケーブル１Ａ、１Ｂが通され、絶縁部材６０と防水部材７０の内部を第２ケーブル群２のケーブル２Ａが通されるということである。
【００１３】
ここで、集合アダプタ５０、絶縁部材６０、防水部材７０はそれぞれ大きな伸縮性を有する樹脂を筒状に形成し、されていて、それを拡径した状態で内側から螺旋状の保持部材で縮径しないように保持しておき、所定位置に配置後に、螺旋状の保持部材を、破壊、除去して、縮径せしめて、ケーブル類を密着被覆する、所謂、常温収縮タイプのものである。
【００１４】
図３は使用前の集合アダプタ５０の構造を示す図で、図３の（Ａ）は長手軸に方向から見た図であり、図３の（Ｂ）は図３の（Ａ）のＩＩＩＢ−ＩＩＩＢ線に沿って見た断面図である。螺旋状の２つの保持部材の５２Ａ、５２Ｂの外側に、大きな伸縮性を有する樹脂で形成された筒状部材５１が拡径された状態で配置されている。
【００１５】
図４は使用前の絶縁部材６０の構造を示す図で、保持部材６２の外側に、大きな伸縮性を有する樹脂で形成された筒状本体部材６１が拡径された状態で配置されている。同様に、図５は使用前の防水部材７０の構造を示す図で、保持部材７２の外側に、大きな伸縮性を有する樹脂で形成された筒状本体部材７１が拡径された状態で配置されている。
なお、絶縁部材６０と防水部材７０は、絶縁部材６０の方が先に収縮されるので防水部材７０よりも接続部分の近くにあり、防水部材によって内包されるように位置せしめることが必要である。
【００１６】
そして、図１の（Ｃ）においては、集合アダプタ５０の内部の上記の螺旋状の保持部材５２Ａ，５２Ｂ（図３参照）を引き抜いて、集合アダプタ５０を第１ケーブル群１の第１ケーブル１Ａ、１Ｂに密着せしめ、結果として第１ケーブル群１の第１ケーブル１Ａ、１Ｂの相対位置を略固定して、次の作業がやりやすいようにする。
【００１７】
次いで、図１の（Ｄ）においては第１ケーブル群１の第１ケーブル１Ａ、１Ｂの端部にそれぞれ取付けられた２つの第１接続用端子部材１０と第２ケーブル群２の第２ケーブル２Ａの端部に取付けられた第２接続用端子部材２０を結合する。図６が第１接続用端子部材１０と第２接続用端子部材２０の結合を示す図であって、このボルト５Ａとナット５Ｂで結合される。この際、ボルトの頭及びナットは接続用端子内の穴（１３）内に内包され、接続用端子を互いに結合させた状態においてその最外周部分に異常な凸部が生じないように工夫されている。
【００１８】
次いで、絶縁部材を図１の（Ｅ）において、一点鎖線で示す位置に移動してから、その内部の螺旋状の保持部材を除去し、絶縁部材を接続部分に密着せしめる。次いで、同様にして、防水部材を図１の（Ｆ）において、一点鎖線で示す位置に移動してから、その内部の螺旋状の保持部材を除去し、防水部材を絶縁部材の外側に密着せしめる。
【００１９】
なお、ケーブル切断部のケーブル遮蔽層を復活する為の遮蔽メッシュを絶縁部材や防水部材と同様に配置しておいて、絶縁部材を密着させた後の防水部材を密着させる前に、すなわち、図１の（Ｅ）と（Ｆ）の間に、取り付けることができる。
【００２０】
以上、第１の実施の形態として、図２の（Ａ）の接続部材を２個、図２の（Ｂ）の接続部材を１個使用して２本の第１ケーブル１Ａ、１Ｂを有する第１ケーブル群１と１本の第２ケーブル２Ａから成る第２ケーブル群２を接続する場合を説明したが、その他にも色々な接続をおこなうことができる。
例えば、図２の（Ａ）の接続部材を２個、図２の（Ｂ）の接続部材を２個使用することにより、図７に示すようにして２本のケーブルと２本のケーブルを接続することができるし、図２の（Ｂ）の接続部材のネジで結合する部分の面積を倍にして、それに、図２の（Ａ）の接続部材を４個結合することにより図８に示すように１本のケーブルと４本のケーブルを接続することができる。
【００２１】
また、図２の（Ｃ）の接続部材３０を２個、図２の（Ｄ）の接続部材４０を２個使用することにより、図９に示すように、やや離れて配置される２組の２本のケーブル同士を接続することができる。なお、このような場合には接続部が大型になるのでそれに応じて、絶縁部材、防水部材も大きくされる。
【００２２】
【発明の効果】
請求項１から４の発明は、一または複数のケーブルから成る第１ケーブル群と、複数のケーブルから成る第２ケーブル群を接続するケーブル接続方法であるが、各ケーブルの端部に接続用端子を取付ける接続用端子取付けステップと、少なくとも一つの常温収縮可能に形成された筒状の被覆部材を第１ケーブル群と第２ケーブル群の一方を周囲するように位置せしめる被覆材配置ステップと、第１ケーブル群の各ケーブルの接続用端子と第２のケーブル群の各ケーブルの接続用端子とを予め設けられている結合手段によって互いに結合する接続用端子結合ステップと、所定の場所に被覆部材を移動して被覆部材を収縮せしめる被覆部材収縮ステップと、を含み、接続用端子はモジュール化されたものが微少種類用意されていて、その中から選択して使用されるようにされている。
したがって、接続するべきケーブルの端部にモジュール化された接続用端子から選んだ接続用端子を取付けられ、その接続用端子が結合され、その上に常温収縮する被覆部材が被覆され、中間ブロックを使用しないので接続部分の大型化が防止でき、また、接続用端子はモジュール化された接続用端子から選んで使用するのでコストが安く、現場で臨機応変に対応できる。
そして請求項５の発明によればは、請求項１から４のいずれかの方法で接続されるケーブル接続体が提供される。
【図面の簡単な説明】
【図１】本発明の実施の形態における手順を説明する図である。
【図２】接続部材の種類を示す図である。
【図３】集合アダプタの構造を説明する図である。
【図４】絶縁部材の構造を説明する図である。
【図５】防水部材の構造を説明する図である。
【図６】接続端子部材の結合状態を示す図である。
【図７】２本のケーブルと２本のケーブルの接続するときの接続端子部材の結合を示す図である。
【図８】１本のケーブルと４本のケーブルの接続するときの接続端子部材の結合を示す図である。
【図９】やや離れた２本のケーブルとやや離れた２本のケーブルの接続するときの接続端子部材の結合を示す図である。
【符号の説明】
１…第１ケーブル群
１Ａ，１Ｂ…第１ケーブル
２…第２ケーブル群
２Ａ…第２ケーブル
１０、２０，３０、４０…接続端子部材
５０…集合アダプタ
６０…絶縁部材
７０…防水部材
【図１】
2004260938.tif 000003
【図２】
2004260938.tif 000004
【図３】
2004260938.tif 000005
【図４】
2004260938.tif 000006
【図５】
2004260938.tif 000007
【図６】
2004260938.tif 000008
【図７】
2004260938.tif 000009
【図８】
2004260938.tif 000010
【図９】
2004260938.tif 000011